(57)【特許請求の範囲】
【請求項１】
温度分布が偏在した室内の高温度分布領域に設置される空気吸引部と、前記室内の床面側に設置される空気吹出部と、前記空気吸引部と空気吹出部との間に配管される送風チューブとからなり、前記空気吸引部が空気吸引用ファンを備え、前記空気吹出部が、全体が横長のボックス体で、その前部には中底で仕切られた上段の空気一時貯留室と下段の空気吹出室とを備え、かつ後部には複数の仕切り板により区画された空気吹出区画部を備え、前記空気一時貯留室には前記送風チューブからの空気が貯留される一方、前記空気吹出室には前記中底に適宜間隔で開けられた通気孔により空気一時貯留室からの空気が導入され、さらに、前記空気吹出区画部には前記空気吹出室に開けた吹出孔からの空気が吹き出される一方、前記空気吹出室から導入された空気が前記空気吹出区画部の上方の開口部分から前記室内に吹き出されることを特徴とする室内空気循環装置。
【請求項２】
温度分布が偏在した室内の高温度分布領域に設置される空気吸引部と、前記室内の床面側に設置される空気吹出部と、前記空気吸引部と空気吹出部との間に配管される送風チューブとからなり、前記空気吸引部が空気吸引用ファンを備え、前記空気吸引部の設置される室内の高温度分布領域が、室内の天井寄り又は暖房機器の熱風吹出部付近であって、前記空気吹出部が、全体が横長のボックス体で、その前部には中底で仕切られた上段の空気一時貯留室と下段の空気吹出室とを備え、かつ後部には複数の仕切り板により区画された空気吹出区画部を備え、前記空気一時貯留室には前記送風チューブからの空気が貯留される一方、前記空気吹出室には前記中底に適宜間隔で開けられた通気孔により空気一時貯留室からの空気が導入され、さらに、前記空気吹出区画部には前記空気吹出室に開けた吹出孔からの空気が吹き出される一方、前記空気吹出室から導入された空気が前記空気吹出区画部の上方の開口部分から前記室内に吹き出されることを特徴とする室内空気循環装置。
【請求項３】
前記空気一時貯留室の通気孔に対して、前記空気吹出室の吹出孔を、前記通気孔からの最短経路に対して経路長さが長くなるようずらして設けてあることを特徴とする請求項１又は２記載の室内空気循環装置。
【発明の詳細な説明】
【０００１】
【産業上の利用分野】
本発明は、室内の空気を拡散させることで昇温を図るようにした省エネルギー型の室内空気循環装置に関するものである。
【０００２】
【従来の技術】
家屋などの室内の昇温にあたっては、通常暖房機器を用いて行うのが普通である。しかし、暖房機器を用いる場合、当然のことながら、暖房のためのエネルギー（例えば石油や都市ガス、電気エネルギーなど）が必要とされる。また、暖房仕方によっては、室内に温度分布が偏在するようになることも多い。
【０００３】
さらに、このような温度分布の偏在は、室内の構造によっても生じる。例えば東向きや南向きの窓部分では、冬場などであっても、晴天時には太陽光が十分取り込まれるため、窓際付近の温度は高くなる。逆に北向きの窓部分では、外気が窓越しに伝わり、窓際付近の温度が低くなる傾向にある。
【０００４】
このため、従来の暖房機器にあっても、例えばエヤコンなどでは送風手段を設け、室内の空気を拡散循環させる方法を取っているが、これは、室内の個別な構造、特に窓などとの関係を考慮したものではなく、単に室内の空気を万遍なく循環させるものである。これにより、ある程度室内温度の均一化は図られる。
【０００５】
【発明が解決しようとする課題】
しかしながら、上記従来方法では、暖房機器自体の稼働が前提条件となり、また、室内の構造、特に窓などの位置に注目してある訳ではないため、きめ細かい対応は困難であった。
【０００６】
これに対して、本発明者は、室内の構造、特に窓の位置などに着目し、例えば晴天日の日の出から日中に掛けて、東向きや南向きの窓部分では、周辺の室内空気が昇温されるため、これを積極的に室内に拡散循環させることで、室内温度の均一化を図るようにした。また、北向きの窓部分では、外気（冷気）に着目し、この冷気が室内へ伝搬し難くすることで、室内温度の均一化を図るようにした。さらに、東向きや南向きの窓部分であっても、曇天日や夜間などにあっては、やはり外気が問題となるため、北向きの窓部分ど同様の対処を図るようにした。
【０００７】
本発明は、このような着想に鑑みてなされたもので、基本的には、室内の窓付近で昇温された空気は積極的に利用する一方、逆にまた、窓付近からの冷気が室内へ伝搬されるのを効果的に防止して、室内温度の均一化を図るようにした室内空気循環装置を提供せんとするものである。
【０００８】
【課題を解決するための手段】
請求項１記載の本発明は、温度分布が偏在した室内の高温度分布領域に設置される空気吸引部と、前記室内の床面側に設置される空気吹出部と、前記空気吸引部と空気吹出部との間に配管される送風チューブとからなり、前記空気吸引部が空気吸引用ファンを備え、前記空気吹出部が、全体が横長のボックス体で、その前部には中底で仕切られた上段の空気一時貯留室と下段の空気吹出室とを備え、かつ後部には複数の仕切り板により区画された空気吹出区画部を備え、前記空気一時貯留室には前記送風チューブからの空気が貯留される一方、前記空気吹出室には前記中底に適宜間隔で開けられた通気孔により空気一時貯留室からの空気が導入され、さらに、前記空気吹出区画部には前記空気吹出室に開けた吹出孔からの空気が吹き出される一方、前記空気吹出室から導入された空気が前記空気吹出区画部の上方の開口部分から前記室内に吹き出されることを特徴とする室内空気循環装置にある。
【０００９】
請求項２記載の本発明は、温度分布が偏在した室内の高温度分布領域に設置される空気吸引部と、前記室内の床面側に設置される空気吹出部と、前記空気吸引部と空気吹出部との間に配管される送風チューブとからなり、前記空気吸引部が空気吸引用ファンを備え、前記空気吸引部の設置される室内の高温度分布領域が、室内の天井寄り又は暖房機器の熱風吹出部付近であって、前記空気吹出部が、全体が横長のボックス体で、その前部には中底で仕切られた上段の空気一時貯留室と下段の空気吹出室とを備え、かつ後部には複数の仕切り板により区画された空気吹出区画部を備え、前記空気一時貯留室には前記送風チューブからの空気が貯留される一方、前記空気吹出室には前記中底に適宜間隔で開けられた通気孔により空気一時貯留室からの空気が導入され、さらに、前記空気吹出区画部には前記空気吹出室に開けた吹出孔からの空気が吹き出される一方、前記空気吹出室から導入された空気が前記空気吹出区画部の上方の開口部分から前記室内に吹き出されることを特徴とする室内空気循環装置にある。
【００１０】
請求項３記載の本発明は、前記空気一時貯留室の通気孔に対して、前記空気吹出室の吹出孔を、前記通気孔からの最短経路に対して経路長さが長くなるようずらして設けてあることを特徴とする請求項１又は２記載の室内空気循環装置にある。
【００１１】
【発明の実施の形態】
図１〜図４は本発明に係る室内空気循環装置の一実施例を示したものである。図中、１０は空気吸引部、２０は空気吹出部、３０は空気吸引部１０と空気吹出部２０との間に配管される送風チューブである。
【００１２】
例えば図１〜図２に示した室内１００において、窓１１０（出入り口のガラス窓なども可）が東向きや南向きの場合、晴天日の日の出から日中に掛けてはこの窓付近の室内空気は昇温される。このことは経験的にも明らかなことである。
【００１３】
そこで、空気吸引部１０を窓１１０付近の天井部分に設置する一方、空気吹出部２０を窓１１０付近の床面側に設置する。この空気吸引部１０は、図２に示すように、ハウジング１１内に電動モータ１２によって回動する空気吸引用ファン１３を備えてなる。したがって、電動モータ１２で空気吸引用ファン１３を回動させれば、天井寄りの空気は吸引され、送風チューブ３０を通って、空気吹出部２０に送り出される。なお、好ましくはハウジング１１の空気取入口側には集塵用のフイルター１４を取り付けるとよい。
【００１４】
つまり、本発明では、温度分布が偏在した室内１００において、天井付近などの高温度分布領域に空気吸引部１０を設置してある。
【００１５】
上記空気吹出部２０は、図３〜図４の拡大図から明らかなように、全体が横長のボックス体２１で、その前部（図中室内側）には、中底２２で仕切られた上段の空気一時貯留室Ｒ１と下段の空気吹出室Ｒ２とを備え、かつ後部（図中窓側）には複数の仕切り板２３により区画された空気吹出区画部Ｒ３を備えてなる。
【００１６】
また、上記空気一時貯留室Ｒ１の中底２２にあっては、背面側の複数の空気吹出区画部Ｒ３に対して例えば一つ置きに小さめの通気孔２２a が設けてある。
したがって、送風チューブ３０を通って供給された空気は、一旦満遍なく空気一時貯留室Ｒ１に充填され、貯留された後、図３に示すように、通気孔２２a を通じて、下段の空気吹出室Ｒ２側に導入される。つまり、この構成により、空気はほぼ均一に分配される形で、空気吹出室Ｒ２側に導入されることとなる。
【００１７】
上記空気吹出室Ｒ２にあっては、丁度上記通気孔２２a に対して、背面側の複数の空気吹出区画部Ｒ３を１個分ずらした形で、この空気吹出区画部Ｒ３との中板２４に小さめの吹出孔２４a が設けてある。これにより、通気孔２２a からの空気は、図３に示すように、例えば左右の吹出孔２４a ，２４a に分かれ、より長い経路を通じて、背面側のそれぞれの対応する空気吹出区画部Ｒ３側に導かれる。この経路が長い分だけ空気は効率よく暖められる。つまり、空気吹出部２０自体が窓１１０の昇温領域に設置されているからである。
【００１８】
ここで、より好ましくは、図４に示すように、吹出孔２４a の空気吹出区画部Ｒ３側には、上向きの空気受け小片２５を設けておくとよい。これにより、吹出孔２４a から吹き出された空気は、空気吹出区画部Ｒ３側の煙突効果との相互作用により、効果的に上昇させられる。
【００１９】
つまり、窓１１０側に複数連続して配列された空気吹出区画部Ｒ３側では、その背板２６が、窓１１０付近の昇温された空気や太陽光により加熱されるため、この中に導入された空気は、上方の開口部分から薄いエアカーテン状態となって、上昇気流的に室内に吹き出される。そして、天井側に達する。この上昇中も、やはり窓１１０付近の昇温された空気や太陽光により加熱されるため、無駄なく、よりスムーズに昇温される。
【００２０】
なお、この空気吹出区画部Ｒ３において、吹出孔２４a のない方にあっては、底面側を開口させておく。そうすると、窓１１０付近の昇温された空気が、この上下に貫通された空気吹出区画部Ｒ３を通じて、吸引上昇される。吹出孔２４a のある方にあっては、開閉のずれであってもよい。開口させておけば、吹出孔２４a から吹き出された空気と共に、上記吹出孔２４a のない場合と同様、窓１１０付近の昇温された空気も、一緒に室内に吹き出され、より大きな空気循環効果が得られる。もちろん、閉じた場合には、吹出孔２４a から吹き出された空気が中心となって吹き出されることとなる。
【００２１】
いずれにしても、このようにして天井側に達した空気は、上記した空気吸引部１０により、吸引され、再び空気吹出部２０に供給される。この繰り返しにより、晴天日の日の出から日中に掛けては、効果的な暖房効果が得られる。
【００２２】
しかも、本発明では、空気吸引部１０の電動モータ１２の回転のみで、空気循環が行われるため、僅かなモータの回転エネルギーだけで昇温を図ることができる。つまり、優れた省エネルギー型の暖房を実現することができる。
【００２３】
図５〜図６は本発明に係る室内空気循環装置の他の実施例を示したものである。この場合は、室内１００の窓１１０が北向きに面している場合で、この窓１１０付近に空気吹出部２０を設置すると共に、空気吸引部１０は他の暖房機器２００の近傍に設置してある。
【００２４】
このような構造の室内１００では、冬場などにおいて外気が冷たいため、その冷気が室内１００に伝わると、室温の低下を招く。
そこで、本発明では、空気吸引部１０により暖房機器２００からの昇温された空気を吸引し、これを送風チューブ３０を通じて、空気吹出部２０に導入させる。そうすると、上記と同様にして、空気吹出部２０の複数配列された空気吹出区画部Ｒ３から、窓１１０付近に吹き出して昇降する。この上昇気流は、一種のエアカーテン作用を呈するため、冷たい外気の室内１００への伝搬が効果的に阻止されることとなる。
【００２５】
図７は本発明に係る室内空気循環装置のさらに他の実施例を示したものである。この場合は、図１〜図２の場合と同様東向きや南向きの窓１１０付近に空気吹出部２０を設置する一方、空気吸引部１０を天井側と暖房機器２００側の２箇所に設置して、晴天日の日の出から日中に掛けては、天井側の空気吸引部１０を運転させる。そうすれば、図１〜図２の場合と同様の暖房効果が得られる。
一方、天候が曇天日や雪の日、或いは夜間にあっては、暖房機器２００側の空気吸引部１０を運転させる。そうすれば、冷たい外気の室内１００への伝搬が効果的に阻止され、結果として、良好な暖房効果が得られる。
【００２６】
上記各実施例では、空気吹出区画部Ｒ３の形成にあたって、多数の仕切り板２３で仕切る構成であったが、本発明はこれに限定されない。例えば図８〜図９に示すように、この部分をハニカム構造体４０として構成することもできる。
【００２７】
つまり、図８のハニカム構造体４０では、上下の空気一時貯留室Ｒ１と空気吹出室Ｒ２の中板２４に対して、湾曲状に曲げ加工された薄板４１を付設してなり、これにより上下方向に延びた多数の円筒部が空気吹出区画部Ｒ３となる。一方、図９のハニカム構造体４０では、上下の空気一時貯留室Ｒ１と空気吹出室Ｒ２の中板２４に対して、折り曲げ加工された薄板４２と外側の遮蔽板４３を付設してなり、これにより上下方向に延びた多数の角筒部が空気吹出区画部Ｒ３となる。いずれにしても、このハニカム構造により、空気との接触面積がより大きくなるため、より優れた昇温効果が得られる。
【００２８】
【発明の効果】
以上の説明した本発明によると、次のような効果が得られる。
（１）先ず、本発明の室内空気循環装置は、基本的な構造部分が、空気吸引部、空気吹出部、及び送風チューブからなる簡単な構成であるため、安価な提供が可能である。
【００２９】
（２）また、各構成部分の小型化が可能である。つまり、空気吸引部は単に室内空気を循環させるだけのものであるため、小型の電動モータで十分対応でき、全体の小型化が図れる。空気吹出部も空気を最適に分配して吹き出すだけの構成であるため、薄型でかつ小型化が図れる。もちろん、送風チューブもそんなに太い必要はなく、比較的細いもので対応することができる。したがって、占有体積も少なくて済み、室内に目立たない形で設置することができる。
【００３０】
（３）特に、室内の構造に着目し、空気吹出部を窓付近に設置する一方、空気吸引部を室内の天井寄りや暖房機器の熱風吹出部付近である室内の高温度分布領域に設置した場合、上記窓が東向きや南向きのときで、晴天日の日の出から日中に掛けては、単に空気吸引部を運転させるのみで、室内温度の均一化が図れる。つまり、優れた省エネルギー化が可能となる。
一方、窓が東向きや南向きのときでも、曇天日や雪の日、或いは夜間の場合、さらには窓が北向きの場合には、暖房機器との組み合わせにより、室内温度の均一化が図れる。つまり、暖房機器側の熱風を一部利用のみであるため、やはり優れた省エネルギー化が可能である。
【００３１】
（４）空気吹出部を、全体が横長のボックス体で、その前部には中底で仕切られた上段の空気一時貯留室と下段の空気吹出室とを備え、かつ後部には複数の仕切り板により区画された空気吹出区画部を備え、空気一時貯留室には送風チューブからの空気が貯留される一方、空気吹出室には中底に適宜間隔で開けられた通気孔により空気一時貯留室からの空気が導入され、さらに、空気吹出区画部には空気吹出室に開けた吹出孔からの空気が吹き出される構成とした場合、複数の空気吹出区画部が一連に配列されるため、空気の最適な分配が行われ、空気は薄いカーテン状態として均一に吹き出される利点が得られる。
【００３２】
（５）空気吹出部の空気一時貯留室の通気孔と空気吹出室の吹出孔の位置をずらした場合、空気の移動経路が長くなり、良好な昇温効果が得られる。
【図面の簡単な説明】
【図１】  本発明に係る室内空気循環装置の一実施例になる配置状態を示した部分欠截正面図である。
【図２】  図１の室内空気循環装置の部分欠截側面図である。
【図３】  図１の室内空気循環装置における空気吹出部の前面を開けた状態の拡大正面図である。
【図４】  図１の室内空気循環装置における空気吹出部の部分欠截拡大側面図である。
【図５】  本発明に係る室内空気循環装置の他の実施例になる配置状態を示した部分欠截正面図である。
【図６】  図５の室内空気循環装置における空気吹出部の部分欠截側面図である。
【図７】  本発明に係る室内空気循環装置のさらに他の実施例になる配置状態を示した部分欠截正面図である。
【図８】  本発明に係る室内空気循環装置における空気吹出部の空気吹出区画部の他の実施例を示した部分平面図である。
【図９】  本発明に係る室内空気循環装置における空気吹出部の空気吹出区画部のさらに他の実施例を示した部分平面図である。
【符号の説明】
１０                空気吸引部
１３                空気吸引用ファン
２０                空気吹出部
２２                中底
２２ａ              通気孔
２４                中板
２４ａ              吹出孔
３０                送風チューブ
４０                ハニカム構造体
１００              室内
１１０              窓
２００              暖房機器
Ｒ１                空気一時貯留室
Ｒ２                空気吹出室
Ｒ３                空気吹出区画部
【図１】
0004272839.tif 000002
【図２】
0004272839.tif 000003
【図３】
0004272839.tif 000004
【図４】
0004272839.tif 000005
【図５】
0004272839.tif 000006
【図６】
0004272839.tif 000007
【図７】
0004272839.tif 000008
【図８】
0004272839.tif 000009
【図９】
0004272839.tif 000010